(57)【要約】【課題】アクティブマトリクス型の液晶表示装置において、ドット反転駆動を行う場合に良好な階調特性を実現する。【解決手段】外部から入力されるアナログビデオ信号は、非線形増幅器２０によって、ガンマ補正とともに、画素電位Ｖｐに対して液晶の誘電率の印加電圧依存性が与える影響を除去するための非線形補正がなされる。この非線形増幅器２０によって補正されたアナログビデオ信号は、対向電極１１の電位Ｖｃｏｍに対して極性が反転された一対の信号を出力する一対の増幅器１２ａ、２１ｂに印加される。一対の増幅器１２ａ、２１ｂの出力は反転信号に応じてスイッチ回路２２によって切り換えられて出力される。【選択図】  図７
2005250132.tif 000002
【特許請求の範囲】
【請求項１】
基板上に行列状に配置される複数の画素電極と、前記画素電極と対向電極の間に封入された液晶と、前記画素電極それぞれに接続されるスイッチング素子と、前記画素電極が配置される画素領域ごとにそれぞれ配置される補助容量電極と、各行の前記画素電極に対応して配置され、所定の周期でその電位が変化する第１及び第２の補助容量ラインと、前記第１または第２の補助容量ラインのいずれかと前記補助容量電極とが対向してなる第１及び第２の補助容量と、所定の周期でその極性が反転するビデオ信号を前記スイッチング素子を通して画素電極及び前記補助容量電極に供給するドライバ回路と、前記画素電極の電位に対して前記液晶の誘電率の印加電圧依存性が与える影響を除去するように前記ビデオ信号を補正する補正手段と、を備えることを特徴とするアクティブマトリクス型液晶表示装置。
【請求項２】
前記補正手段は入力アナログビデオ信号を補正する非線形増幅器を備えることを特徴とする請求項１又は２に記載のアクティブマトリクス型液晶表示装置。
【請求項３】
前記補正手段は、アナログ信号発生用の両端に基準電圧が印加された分圧抵抗と、入力デジタルビデオ信号に応じて前記分圧抵抗の各抵抗の接続点の電圧を選択する電圧選択回路を有するデジタル・アナログ変換器を備え、前記分圧抵抗を構成する各抵抗の抵抗値を調整することにより、前記ビデオ信号を補正することを特徴とする請求項１に記載のアクティブマトリクス型液晶表示装置。
【請求項４】
前記補正手段は、入力デジタルビデオ信号とこれに対応する補正値を有するルックアップテーブルを参照して入力デジタルビデオ信号のデジタル補正を行う補正回路を備えることを特徴とする請求項１に記載のアクティブマトリクス型液晶表示装置。
【請求項５】
前記補正手段は、入力デジタルビデオ信号のデジタル補正を行うデジタル演算回路を備えることを特徴とする請求項１に記載のアクティブマトリクス型液晶表示装置。
【請求項６】
前記対向電極の電位が一定であることを特徴とする請求項１に記載のアクティブマトリクス型液晶表示装置。
【請求項７】
前記ビデオ信号電圧の極性が１フレーム期間毎に反転することを特徴とする請求項１に記載のアクティブマトリクス型液晶表示装置。
【請求項８】
前記第１及び第２の補助容量ラインの電位は、前記スイッチング素子がオフ状態の期間中に変化することを特徴とする請求項１に記載のアクティブマトリクス型液晶表示装置。
【請求項９】
前記第１及び第２の補助容量ラインの電位は１フレーム期間毎に変化することを特徴とする請求項１に記載のアクティブマトリクス型液晶表示装置。
【発明の詳細な説明】
【技術分野】
【０００１】
本発明は、アクティブマトリクス型液晶表示装置に関する。
【背景技術】
【０００２】
独立した画素電極に薄膜トランジスタ（ＴＦＴ：Thin Film Transistor）のようなスイッチング素子を介してそれぞれの映像信号を供給するアクティブマトリクス型表示装置において、対向電極及び補助容量に交流電位を与える対極ＡＣ駆動を行うことにより、液晶の劣化を防止すると同時に、ドレインドライバに入力されるビデオ信号の正・負極性間の電位差を小さくし、ドレインドライバの電流及び電圧を下げることで低消費電力を実現していた。
【０００３】
しかし、１水平期間ごとに各ドレインラインに与えるビデオ信号極性を反転する水平反転対極ＡＣ駆動では、１水平期間ごとに、対向電極及び全補助容量ラインの電圧の極性を反転させるため、対向電極及び全補助容量ラインにおける容量性の負荷及びこれらによる消費電力は依然として大きかった。
【０００４】
そこで、さらなる低消費電力化を実現するため、補助容量の電圧の極性を反転させることにより、対向電極電圧を一定の電圧とすることで消費電力を格段に低減することができると同時に、ビデオ信号の正・負極性間の電位差を小さくし、ドレインドライバの電流及び電圧を下げるという駆動方式（以下、「ＳＣ駆動」と称する。）が特許文献１に開示されている。
【０００５】
また、ＳＣ駆動において生じる容量結合及びそれに起因する画像のムラを防止するために、ゲートライン方向に隣り合う画素電極に対して極性が異なる電圧を印加し、図１１のように、上下左右隣り合う画素全てに逆の極性の電圧を印加するドット反転駆動方式が特許文献２に開示されている。
【特許文献１】特開平１２−８１６０６号公報
【特許文献２】特開２００３−１５０１２７号公報
【発明の開示】
【発明が解決しようとする課題】
【０００６】
しかしながら、上述のＳＣ駆動やドット反転駆動においては、液晶の誘電率が印加電圧に依存して変動することから、画素電極の電位が液晶容量に依存して入力されるビデオ信号電圧に対して非線形に変化してしまう。すると、その入力されるビデオ信号電圧に対する適正な画素電極の電位が得られなくなり、階調特性が悪化してしまうという問題を有していた。
【課題を解決するための手段】
【０００７】
そこで本発明の液晶表示装置は、基板上に行列状に配置される複数の画素電極と、前記画素電極と対向電極の間に封入された液晶と、前記画素電極それぞれに接続されるスイッチング素子と、前記画素電極が配置される画素領域ごとにそれぞれ配置される補助容量電極と、各行の前記画素電極に対応して配置され、所定の周期でその電位が反転する第１及び第２の補助容量ラインと、前記第１または第２の補助容量ラインのいずれかと前記補助容量電極とが対向してなる第１及び第２の補助容量と、所定の周期でその極性が反転するビデオ信号を前記スイッチング素子を通して画素電極及び前記補助容量電極に供給するドライバ回路と、前記画素電極の電位に対して前記液晶の誘電率の印加電圧依存性が与える影響を除去するように前記ビデオ信号を補正する補正手段と、を備えることを特徴とするものである。
【０００８】
また、前記補正手段は入力アナログビデオ信号を補正する非線形増幅器を備えることを特徴とするものである。また、前記補正手段は、アナログ信号発生用の両端に基準電圧が印加された分圧抵抗と、入力デジタルビデオ信号に応じて前記分圧抵抗の各抵抗の接続点の電圧を選択する電圧選択回路を有するデジタル・アナログ変換器を備え、前記分圧抵抗を構成する各抵抗の抵抗値を調整することにより、前記ビデオ信号を補正することを特徴とするものである。
【０００９】
また、前記補正手段は、入力デジタルビデオ信号とこれに対応する補正値を有するルックアップテーブルを参照して入力デジタルビデオ信号のデジタル補正を行う補正回路を備えることを特徴とするものである。また、前記補正手段は、入力デジタルビデオ信号のデジタル補正を行うデジタル演算回路を備えることを特徴とするものである。
【発明の効果】
【００１０】
本発明のアクティブマトリクス型液晶表示装置によれば、画素電極の電位に対して液晶の誘電率の印加電圧依存性が与える影響を除去するようにビデオ信号電圧を補正する補正手段を設けたので、ＳＣ駆動やドット反転駆動を行う場合に、入力されるビデオ信号電圧に対して適正な画素電極の電位が得られるようになり、良好な階調特性を実現することが可能になる。
【発明を実施するための最良の形態】
【００１１】
次に、本発明の実施形態について図面を参照しながら説明する。図１は、アクティブマトリクス型表示装置における表示パネルの平面図であり、図２は、アクティブマトリクス型表示装置における表示パネルの画素領域のパターン図であり、図３はその等価回路図である。
【００１２】
まず、図１において、表示パネル１には、行方向にドレインドライバ２が配置され、列方向にはゲートドライバ３が配置されている。そして、ドレインドライバ２及びゲートドライバ３に囲まれるように、映像表示を行う表示領域４が配置されている。
【００１３】
そして、表示領域４には、図２及び図３に示されるように、列方向には、ドレインライン５と、列方向に長い長方形の画素電極６が複数配置され、行方向には、ゲートライン７と、第１の補助容量ライン８ａ及び第２の補助容量ライン８ｂが配置されている。各画素電極６が配置される領域（以下、「画素」と称する。）には、ＴＦＴ９と、第１の補助容量１０ａもしくは第２の補助容量１０ｂのいずれかが配置されている。即ち、第１の画素ＧＳ１には第１の補助容量１０ａが配置され、第１の画素ＧＳ１に隣接する第２の画素ＧＳ２には第２の補助容量１０ｂが配置されている。第１の画素ＧＳ１と第２の画素ＧＳ２は行方向に交互に配列されている。
【００１４】
ＴＦＴ９は、ゲートライン７から延びて形成されたゲート電極９ｇと、ドレインライン５とコンタクトを介して電気的に接続された半導体層のドレイン領域９ｄと、画素電極６とコンタクトを介して電気的に接続された半導体層のソース領域９ｓとで構成されている。第１の補助容量１０ａは、ＴＦＴ９に接続された半導体層よりなる補助容量電極１０ｘと、第１の補助容量ライン８ａから補助容量電極１０ｘ上に容量絶縁層を介して重なるように延びて形成された補助容量電極１０ｙで形成されている。第２の補助容量１０ｂは、上記の補助容量電極１０ｘと、第２の補助容量ライン８ｂから補助容量電極１０ｘ上に容量絶縁層を介して重なるように延びて形成された補助容量電極１０ｚで形成されている。
【００１５】
なお、第１の画素ＧＳ１において、補助容量電極１０ｘと第２の補助容量ライン８ｂとの間には第１の寄生容量１５ａが形成され、第２の画素ＧＳ２において、補助容量電極１０ｘと第１の補助容量ライン８ａとの間には第２の寄生容量１５ｂが形成される。
【００１６】
また、ＴＦＴ９が設けられた基板とこれに対向する反対側の基板の間に液晶が封入され、この反対側の基板に対向電極１１が設けられ、液晶容量１２の画素電極６に対応する補助容量電極を構成している。ドレインドライバ２は、図１に図示されているように、互いに逆の極性を持つ第１のビデオ信号電圧ＶＤａ及び第２のビデオ信号電圧ＶＤｂが入力され、ドレインライン５を順次選択して第1のビデオ信号電圧ＶＤａもしくは第２のビデオ信号電圧ＶＤｂのいずれかを印加していく。
【００１７】
ゲートドライバ３は、ゲートライン７を順次選択して、ゲート信号ＧＶを印加する。表示領域４は複数の画素電極６を有し、映像表示を行う領域である。ドレインライン５は、互いに逆の極性を持つ第１のビデオ信号電圧ＶＤａもしくは第２のビデオ信号電圧ＶＤｂのいずれかを、コンタクトを介してＴＦＴ９に伝達する配線である。画素電極６は、表示単位である画素領域を構成し、対向電極１１と共に、ドレインライン５からＴＦＴ９を介して伝達されたビデオ信号電圧ＶＤによって液晶を駆動する電極である。  
【００１８】
ゲートライン７は、ゲートドライバ３によって選択され、ゲート信号ＧＶが印加されると、接続されているＴＦＴ９をオンする。第１の補助容量ライン８ａは、ゲートライン７と同じ層に、行方向に並ぶ補助容量電極１０ｙに一体化して形成され、各行の第１の補助容量を互いに連結している。第２の補助容量ライン８ｂは、ゲートライン７と同じ層に、行方向に並ぶ補助容量電極１０ｚに一体化して、各行の第２の補助容量を互いに連結している。なお、第１の補助容量ライン８ａには、第１の補助容量電圧が供給され、第２の補助容量ライン８ｂには、第１の補助容量電圧とは逆の極性をもつ第２の補助容量電圧が供給される。第１及び第２の補助容量電圧は後述するように所定のタイミングでその極性が反転する。
【００１９】
ＴＦＴ９は、ゲート電極９ｇに電圧が印加されたときにだけ、ソース領域９ｓからドレイン領域９ｄへの方向もしくはドレイン領域９ｄからソース領域９ｓへの方向のいずれかに、ゲート電極９ｇの直下にある半導体層のチャネル領域中を電流が流れるスイッチング素子である。第１の補助容量１０ａ及び第２の補助容量１０ｂは、ドレインライン５からＴＦＴ９を介して供給されたビデオ信号電圧ＶＤによる電荷を１フレーム期間保持し、液晶容量１２の電荷の損失を補う。対向電極１１には、一定の電圧が印加され、画素電極６に印加されたビデオ信号電圧ＶＤに応じて画素電極６と共に液晶を駆動する。液晶容量１２の電荷とは、液晶が保持しているドレインライン５からＴＦＴ９を介して供給されたビデオ信号電圧ＶＤによる電荷である。
【００２０】
しかし、液晶容量１２が保持する電荷は、ＴＦＴ９のオフ動作時によるリークや液晶中の不純物からのリークによって流出しやすいため、第１の補助容量１０ａ及び第２の補助容量１０ｂの保持する電荷によって電荷を補っている。
【００２１】
次に、駆動方法について説明する。図４は、表示パネルにおける各信号の関連を示すタイミングチャートである。これは、垂直スタート信号ＳＴＶ及びゲート信号ＧＶ、水平スタート信号ＳＴＨ及び水平クロック信号ＣＫＨと、第１の補助容量ライン８ａの電位ＳＣａ及び第２の補助容量ライン８ｂの電位ＳＣｂにおける電圧変化のタイミングを示している。
【００２２】
まず、垂直スタート信号ＳＴＶのパルスが立ち上がった後に、ゲート信号ＧＶ１のパルスが立ち上がり、１行目のゲートライン７にゲート信号ＧＶ１が供給されてこれに接続されたＴＦＴ９がオンになる。それから、水平スタート信号ＳＴＨのパルスが立ち上がり、１行目のゲートライン７にゲート信号ＧＶ１が供給されている期間中に、水平クロック信号ＣＫＨのパルスに同期して、ドレインライン５が順次選択され、順次ビデオ信号電圧ＶＤが、ＴＦＴ９を介して、画素電極６と、第１の補助容量１０ａ及び第２の補助容量１０ｂに印加されていく。
【００２３】
なお、第１のビデオ信号電圧ＶＤａは、第１の画素ＧＳ１の画素電極６、第１の補助容量１０ａ及び第１の寄生容量１５ａに、第２のビデオ信号電圧ＶＤｂは、第２の画素ＧＳ２の画素電極６、第２の補助容量１０ｂ及び第２の寄生容量１５ｂに印加される。全てのドレインライン５にビデオ信号電圧ＶＤが印加されると、１行目のゲートライン７にゲート信号ＧＶ１が供給されなくなり、これに接続されるＴＦＴ９はオフとなる。そして、順次ゲート信号ＧＶ２、ゲート信号ＧＶ３のパルスが立ち上がり、２行目のゲートライン７にはゲート信号ＧＶ２、３行目のゲートライン７にはゲート信号ＧＶ３、というように、それぞれ印加され、上記の動作を繰り返す。ゲートライン７に接続されたＴＦＴ９がオフ状態、即ち、ゲートライン７にゲート信号ＧＶが供給されていない期間中、即ち、ゲート信号ＧＶ１が立ち下がり後であって、ゲート信号ＧＶ２が立ち上がる前の期間中に、第１の補助容量ライン８ａの電位ＳＣａと、第２の補助容量ライン８ｂの電位ＳＣｂの極性が反転する。第１の補助容量ライン８ａの電位ＳＣａと第２の補助容量ライン８ｂの電位ＳＣｂの極性反転は、各行毎に１フレーム周期で行われる。
【００２４】
そして、この補助容量ラインの電位変化ΔＶｓｃに伴って、画素電極の電位（以下、画素電位Ｖｐと称する）が第１の補助容量１０ａ及び第１の寄生容量１５ａ、第２の補助容量１０ｂ及び第２の寄生容量１５ｂの画素電極６への容量結合により正電位方向もしくは負電位方向に変化してドット反転駆動を行われる。そして、全てのゲートライン７にゲート信号ＧＶが供給されると、再び垂直スタート信号ＳＴＶのパルスが立ち上がり、それに同期して１行目のゲートライン７にゲート信号ＧＶが供給され、同様の動作を繰り返す。
図５は、本実施形態にかかる表示装置の駆動方法を示す信号波形図であり、第１の補助容量ライン８ａの電位ＳＣａと、第２の補助容量ライン８ｂの電位ＳＣｂの極性が反転する前後の第１の画素ＧＳ１と第２の画素ＧＳ２の画素電位Ｖｐの変化の様子を示している。      
【００２５】
ここでは、ゲート信号ＧＶ１がロウレベルに立ち下がった後に、第１の補助容量ライン８ａの電位ＳＣａが３．１５Ｖから０Ｖに反転し、第２の補助容量ライン８ｂの電位ＳＣｂが０Ｖから３．１５Ｖに反転する場合を示している。この電位変化ΔＶｓｃに伴って前述の容量結合により、第１の画素ＧＳ１の画素電圧Ｖｐは一定の対向電極１１の電位Ｖｃｏｍに対して負電位方向に変化し、第２の画素ＧＳ２の画素電圧Ｖｐは一定の対向電極１１の電位Ｖｃｏｍに対して正電位方向に変化する。
【００２６】
本実施形態では、ドット反転駆動を行うことにより、隣接するビデオ信号電圧による影響を解消して、容量結合による画像のムラを防ぐ。さらに、スイッチング素子がオフとなる期間に第１及び第２の補助容量ラインに対し、第１もしくは第２の補助容量電圧のいずれかをそれぞれ印加することによって、入力されるビデオ信号電圧のダイナミックレンジを狭くすることもできるため、消費電力を削減することができる。
【００２７】
次に、第１のビデオ信号電圧ＶＤａ及び第２のビデオ信号電圧ＶＤｂの信号レベルの補正について詳しく説明する。上述した画素電圧Ｖｐは、第１の補助容量ライン８ａの電位ＳＣａと、第２の補助容量ライン８ｂの電位ＳＣｂの極性反転に伴う変化後において次式で表される。
Ｖｐ＝ＶＤ±（Ｃｓｃ−Ｃｐａ）×ΔＶｓｃ／Ｃａｌｌ  ・・・（１）
Ｃａｌｌ＝Ｃｌｃ＋Ｃｓｃ＋Ｃｐａ＋Ｃｇｓ  ・・・（２）
ここで、ＶＤは、第1のビデオ信号電圧ＶＤａもしくは第２のビデオ信号電圧ＶＤｂ、Ｃｓｃは、第１の補助容量１０ａもしくは第２の補助容量１０ｂの容量値、Ｃｐａは第１の寄生容量１５ａもしくは第２の寄生容量１５ｂの容量値、Ｃｌｃは液晶容量１２の容量値、ＣｇｓはＴＦＴ９のゲートソース間寄生容量、Ｃａｌｌは全容量値、ΔＶｓｃは、第１の補助容量ライン８ａの電位ＳＣａもしくは第２の補助容量ライン８ｂの電位ＳＣｂの反転時の電位変化である。
【００２８】
第１式（１）において、第２項のＣａｌｌは、液晶容量１２の容量値Ｃｌｃを含むために、画素電圧Ｖｐは液晶容量１２の容量値Ｃｌｃに依存することになる。ところが、液晶の誘電率が印加電圧、即ち、画素電位Ｖｐと対向電極１１の電位Ｖｃｏｍとの電位差に依存して変動することから、画素電位Ｖｐは、ビデオ信号電圧ＶＤに対して非線形に変化してしまう。すると、ビデオ信号電圧ＶＤに対する適正な画素電位Ｖｐが得られなくなり、階調特性が悪化してしまう。
【００２９】
図６はビデオ信号電圧ＶＤ（第1のビデオ信号電圧ＶＤａ及び第２のビデオ信号電圧ＶＤｂ）と画素電極６の電圧Ｖｐとの関係を示す図である。図６において、横軸はビデオ信号電圧ＶＤ（正確には、対向電極１１の電位Ｖｃｏｍを基準としたビデオ信号電圧ＶＤ）に対応し、縦軸は画素電極６の電圧Ｖｐに対応している。この図からわかるように、対極ＡＣ駆動方式では、画素電位Ｖｐはビデオ信号電圧ＶＤに対して線形に変化するのに対して、本実施形態のドット反転駆動方式では、画素電位Ｖｐはビデオ信号電圧ＶＤに対して非線形に変化してしまう。
【００３０】
その原因をＴＮ液晶の場合を例にして具体的に説明すると、ＴＮ液晶の誘電率は印加電圧が小さいときは小さく、印加電圧が大きくなると大きくなるという性質を有している。すると、第２式（２）の全容量値Ｃａｌｌに対する液晶容量１２の容量値Ｃｌｃの寄与は、ビデオ信号電圧ＶＤが大きくなるに従って大きくなる。したがって、第１式（１）の画素電位Ｖｐは、図６に示すようにビデオ信号電圧ＶＤに対して非線形に変化することになる。このような非線形現象はＴＮ液晶に限らず、他の液晶についても同様に生じる。
【００３１】
そこで、本実施形態では、前記第１のビデオ信号電圧ＶＤａ及び第２のビデオ信号電圧ＶＤｂを、画素電位Ｖｐに対して液晶の誘電率の印加電圧依存性が与える影響を除去するように補正手段により補正した。
【００３２】
次に、そのような補正手段の構成例について図面を参照しながら説明する。図７は、入力ビデオ信号がアナログビデオ信号である場合の補正手段を示す回路図である。外部から入力されるアナログビデオ信号は、非線形増幅器２０によって、ガンマ補正とともに、画素電位Ｖｐに対して液晶の誘電率の印加電圧依存性が与える影響を除去するための非線形補正がなされる。この非線形増幅器２０によって補正されたアナログビデオ信号は、対向電極１１の電位Ｖｃｏｍに対して極性が反転された一対の信号を出力する一対の増幅器１２ａ、２１ｂに印加される。一対の増幅器１２ａ、２１ｂの出力は反転信号に応じてスイッチ回路２２によって切り換えられて出力される。このスイッチ回路２２からの信号が前記第１のビデオ信号電圧ＶＤａもしくは第２のビデオ信号電圧ＶＤｂに相当する。
【００３３】
図８は、入力ビデオ信号がデジタルビデオ信号である場合の補正手段を示す回路図である。３０はデジタル・アナログ変換器（ＤＡＣ）であり、アナログ信号発生用の両端に基準電圧Ｖｒｅｆ１，Ｖｒｅｆ２が印加された複数の直列抵抗Ｒ１，Ｒ２，・・・Ｒｎから成る分圧抵抗３１と、デジタルビデオ信号に応じて、これらの直列抵抗Ｒ１，Ｒ２，・・
・Ｒｎの各抵抗の接続点の電圧を選択出力する電圧選択回路３２を有している。
【００３４】
ここで、直列抵抗Ｒ１，Ｒ２，・・・Ｒｎの値は、デジタルビデオ信号に応じたガンマ補正と画素電位Ｖｐに対して液晶の誘電率の印加電圧依存性が与える影響を除去するための非線形補正がなされるように、個々の抵抗値が調整されている。また、デジタル・アナログ変換器３０は、反転信号に応じて、基準電圧Ｖｒｅｆ１，Ｖｒｅｆ２の極性を反転することで、出力信号の極性を反転制御する機能を有している。そして、デジタル・アナログ変換器３０の出力は増幅器４０を通して出力される。この増幅器４０が前記第１のビデオ信号電圧ＶＤａもしくは第２のビデオ信号電圧ＶＤｂに相当する。
【００３５】
図９は、入力ビデオ信号がデジタルビデオ信号である場合の他の補正手段を示す回路図である。例えば、６ビットのデジタルビデオ信号はデジタル補正回路５０に入力される。このデジタル補正回路５０は、デジタルビデオ信号とこれに対応する補正値を有するルックアップテーブル５１を参照してデジタルビデオ信号のデジタル補正を行う。
【００３６】
ここで、ルックアップテーブル５１の補正値は、画素電位Ｖｐに対して液晶の誘電率の印加電圧依存性が与える影響を除去するためのデジタルビデオ信号の補正値である。このとき、デジタル補正回路５０は補正の精度を高めるために６ビットのデジタルビデオ信号を８ビットもしくは１０ビットに拡張して補正を行うように構成されている。さらにデジタル補正回路５０は、デジタルビデオ信号のガンマ補正も併せて行う。デジタル補正回路５０によって補正されたデジタルビデオ信号は、デジタル・アナログ変換器３０によってアナログビデオ信号に変換され、さらに増幅器４０によって増幅される。この増幅器４０が前記第１のビデオ信号電圧ＶＤａもしくは第２のビデオ信号電圧ＶＤｂに相当する。
【００３７】
図１０は、入力ビデオ信号がデジタルビデオ信号である場合のさらに他の補正手段を示す回路図である。この補正手段では、ルックアップテーブル５１を参照して補正を行うのではなく、デジタル演算回路６０によって、デジタルビデオ信号のビットデータの拡張、ガンマ補正及び画素電位Ｖｐに対して液晶の誘電率の印加電圧依存性が与える影響を除去するための補正が行われる。デジタル演算回路６０によって補正されたデジタルビデオ信号は、同様に、デジタル・アナログ変換器３０によってアナログビデオ信号に変換され、さらに増幅器４０によって増幅される。この増幅器４０が前記第１のビデオ信号電圧ＶＤａもしくは第２のビデオ信号電圧ＶＤｂに相当する。
【００３８】
なお、図７〜図１０の補正手段は、表示パネル内に設けてもよいし、表示パネルの外部のＬＳＩ内に設けてもよい。
【図面の簡単な説明】
【００３９】
【図１】本発明の実施形態にかかるアクティブマトリクス型表示装置における表示パネルの平面図である。
【図２】本発明の実施形態にかかるアクティブマトリクス型表示装置における表示パネルの表示領域のパターン図である。
【図３】図２に示された表示領域の等価回路図である。
【図４】本発明の実施形態にかかるアクティブマトリクス型表示装置における表示パネルにおける各信号の関連を示すタイミングチャートである。
【図５】本実施形態にかかるアクティブマトリクス型表示装置の駆動方法を示す信号波形図である。
【図６】ビデオ信号電圧と画素電圧との関係を示す図である。
【図７】本実施形態にかかるアクティブマトリクス型表示装置におけるビデオ信号の補正手段を示すブロック図である。
【図８】本実施形態にかかるアクティブマトリクス型表示装置におけるビデオ信号の補正手段を示すブロック図である。
【図９】本実施形態にかかるアクティブマトリクス型表示装置におけるビデオ信号の補正手段を示すブロック図である。
【図１０】本実施形態にかかるアクティブマトリクス型表示装置におけるビデオ信号の補正手段を示すブロック図である。
【図１１】アクティブマトリクス型表示装置におけるドット反転駆動方式を説明する図である。
【符号の説明】
【００４０】
１  表示パネル                        ２  ドレインドライバ
３  ゲートドライバ                    ４  表示領域
５  ドレインライン                    ６  画素電極
７  ゲートライン                    ８ａ  第１の補助容量ライン
８ｂ  第１の補助容量ライン              ９  ＴＦＴ
１０ａ  第１の補助容量                １０ｂ  第２の補助容量
１５ａ  第１の寄生容量                １５ｂ  第２の寄生容量
１１  対向電極                        １２  液晶容量            
２０  デジタル・アナログ変換器        ２１  補正回路    
２２  フレーム反転回路                ３０  補正用メモリ
【図１】
2005250132.tif 000003
【図２】
2005250132.tif 000004
【図３】
2005250132.tif 000005
【図４】
2005250132.tif 000006
【図５】
2005250132.tif 000007
【図６】
2005250132.tif 000008
【図７】
2005250132.tif 000009
【図８】
2005250132.tif 000010
【図９】
2005250132.tif 000011
【図１０】
2005250132.tif 000012
【図１１】
2005250132.tif 000013